Podtech/llm-jp-corpus-v4-ja_patent huggingface dataset:
(57)【要約】【課題】風呂の残り湯を再利用するにあたり、バケツで何杯もくみ上げたり、長いホースを引っ張り出して取り付けたり取り外したり、床上にホースを出しっぱなしになり足元で邪魔になり見た目もだらしなく見える。又手間も掛かるので残り湯の再利用の回数が少なくなる。【解決手段】 風呂の残り湯を洗濯機に再利用するための浴槽の排水口に設ける排水装置であって、浴槽の排水口に接続される接続口と、残り湯を排水する排水栓を備えた排水口と、洗濯機に接続されるお湯取り口とを備えた排水装置を用いることにより、簡単に洗濯機に給水できるため残り湯の再利用がしやすくなる。【選択図】    図２
2007107190.tif 000002
【特許請求の範囲】
【請求項１】
風呂の残り湯を洗濯機に再利用するための浴槽の排水口に設ける排水口装置であって、浴槽の排水口に接続される接続口と、残り湯を排水する排水栓を備えた排水口と、洗濯機に接続されるお湯取り口とを備えたことを特徴とする排水口装置。
【請求項２】
前記接続口上部にゴミ取りネット装着し、前記ゴミ取りネットに、水に浮遊可能な鎖を取り付けたことを特徴とする請求項１に記載の排水口装置。    
【請求項３】
前記ゴミ取りネットの鎖が、浮上するように鎖の先端に、浮き具を付けることを特徴とする請求項２に記載の排水口装置。
【請求項４】
排水装置の下部の排水口に、ボール玉ゴム栓の排水栓を配設し、ボール玉ゴム栓上部に取り外し可能なゴミ取りネットを接続し、接続口上部よりゴミ取りネットを配設することを、特徴とする請求項１〜３のいずれかに記載の排水口装置。
【請求項５】
排水装置の下部の排水口に、プッシュワンウェイ式の排水栓を配設し、接続口上部にゴミ取りネット又はゴミ取りカゴを配設することを、特徴とする請求項１〜３のいずれかに記載の排水口装置。
【発明の詳細な説明】
【技術分野】
【０００１】
本発明は浴槽の排水口に接続している排水部分の側面に穴を開けた給水口と下部の排水口に分けて  側面の給水口から洗濯機に給水するための排水口装置に関する。
【背景技術】
【０００２】
従来は残り湯を給水する方法として
・ バケツで運ぶ
・給水ポンプをホースにつなぐ   
・現在の洗濯機に付いている給水ボタンに専用ホースを取り付けるなどして給水していた。  〔例えば、下記特許文献１及び２参照〕                  
【０００３】
【特許文献１】特開  ２００３−２６８８１８号広報特開  ２００５−７６４２０号広報
【発明の開示】
【発明が解決しようとする課題】
【０００４】
残り湯をバケツで給水する場合には床上に水がこぼれて濡れるなどの問題がある。ホースなどを使用すると足元で邪魔になり、見た目もだらしなく、取り付け取り外しの手間も掛かるため残り湯の再利用をためらうことになる。    
【課題を解決するための手段】
【０００５】
本発明は、浴槽に接続している排水口の排水部に、側面と下部の２ヶ所に穴を開け側面の穴にパイプを接続し、水道管と同様に床下から配管し洗濯機の給水装置に接続する。        下部の排水口は残り湯を排水する排水口である。  
【発明の効果】
【０００６】
本発明によりお風呂の残り湯を洗濯に使用し水資源の節約なり、専用ホースの取り付け取り外しの手間がなくなる。
【発明を実施するための最良の形態】
【０００７】
本発明は、浴槽に接続している配水装置であり、側面に洗濯機に給水する給水口２と残り湯を排水する下部排水口３を設ける。  浴槽に接続している接続口１上部にゴミ、髪の毛などを取るゴミ取りネット７  又はゴミ取りカゴ８を配置する。（ゴミ取りカゴ８にはネットを取り付けることが好ましい。）
【０００８】
ゴミ取りカゴ  又はゴミ取りネットの上部に水面に浮上可能な鎖９を付け  その鎖が水面に浮かぶように  鎖の先に浮き具１０をつける。その鎖と浮き具をゴミ取りカゴ又はゴミ取りネットの中に収納する。
【０００９】
又別の使用方法としてゴミ取りカゴ又はゴミ取りネットの中に浮上可能な浮き具（おもちゃ  花）などを入れ上部排水栓をはずせば水面に浮きあがり入浴時間が楽しくなる。
【実施例】
【００１０】
浴槽に接続している接続口1の排水装置側面に洗濯機に給水する給水口２にパイプを接続して床下配管を介して洗濯機の給水装置と接続する。  浴槽に水をためている状態では、接続口１上部はゴム栓４で止水する。
【００１１】
下部の排水用の排水口３は、プッシュワンウェイ式排水栓５で止水・排水する。  又はボール玉ゴム栓６で止水・排水する。
【００１２】
ボール玉ゴム栓の上部にゴミ取りネット７を脱着可能に取りつけることができる。  
【図面の簡単な説明】
【００１３】
【図１】浴槽の排水口から洗濯機置き場までの給水パイプを配置した全体図である。
【図２】浴槽に接続している排水装置で洗濯機に給水する給水口２と残り湯を排水する下部排水口３を設けた排水装置の図である。
【図３】上部接続口１と下部排水口３の間に設置するゴミ取りネット７の図である。
【図４】上部接続口１と下部排水口３の間に設置するゴミ取りカゴ８の図である。
【図５】図3のゴミ取りネット７の下部に取り付け取り外しのできるボール玉ゴム栓６の止水栓の図である。
【図６】接続口１と下部排水口３の間にゴミ取りカゴ８を設置し下部の排水口３の止水栓にプッシュワンウェイ式止水栓５を設置した図である。
【図７】接続口１と下部排水口３の間にゴミ取りネット７を設置しゴミ取りネット７の下部に取り付け取り外し可能なボール玉ゴム栓６を設置した図である。
【図８】接続口１と下部排水口３の間にゴミ取りネット７を設置し下部の排水口３の止水栓にプッシュワンウェイ式止水栓５を設置した図である。
【符号の説明】
【００１４】
１  浴槽に接続している接続口。
２  残り湯を洗濯機に給水する給水口。
３  残り湯を排水する排水口。
４  浴槽にお湯を貯水する止水栓。
５  プッシュワンウェイ式止水栓。
６  ボール玉ゴム栓の止水栓。
７  接続口と下部排水口３に設置するゴミ取りネット。
８  接続口と下部排水口３に設置するゴミ取りカゴ。
９  ゴミ取りネットゴミ取りカゴに取り付ける軽量の鎖。
１０  鎖の先につける浮き具。
【図１】
2007107190.tif 000003
【図２】
2007107190.tif 000004
【図３】
2007107190.tif 000005
【図４】
2007107190.tif 000006
【図５】
2007107190.tif 000007
【図６】
2007107190.tif 000008
【図７】
2007107190.tif 000009
【図８】
2007107190.tif 000010
(57)【要約】【課題】  床コンクリートの打ち継ぎ部において隣り合うコンクリート相互の噛み合いを向上させるとともに、両コンクリートの接触面積を大きくすることでせん断方向の力の伝達をさらに良好にできる床コンクリート構造を得る。【解決手段】  蛇腹状に折り曲げたメタルラスを床コンクリートの打ち継ぎ部に配設し、前記メタルラスは、折り曲げ方向が縦方向のものと横方向のものとが所定間隔で横方向に交互に連続して配置される。【選択図】        図１
2007107187.tif 000002
【特許請求の範囲】
【請求項１】
メタルラスを蛇腹状に折り曲げて床コンクリートの打ち継ぎ部に配設したことを特徴とする床コンクリート構造。
【請求項２】
前記メタルラスは、折り曲げ方向が縦方向のものと横方向のものとが所定間隔で横方向に交互に配置される請求項１記載の床コンクリート構造。
【発明の詳細な説明】
【技術分野】
【０００１】
本発明は床コンクリート構造に関するものである。
【背景技術】
【０００２】
例えば、大規模な床コンクリートを打設する場合、コンクリートを一度に大量に打設すると、コンクリート自体が高温になり、収縮によるひび割れが発生しやすくなる。そこで、予め打設区画を設定して、順次打設していくが、コンクリートの打ち継ぎ部には、従来、金網状のメタルラスを配設するものがある（例えば特許文献１参照）。
【０００３】
これは、隣接の区画コンクリートの継ぎ目地に位置させてエキスパンド体を配設するもので、エキスパンド体は剛性が非常に小さいため、伸延および圧縮力に対してこれを吸収してしまうとともに、コンクリートに埋設された場合にはその吸収能は消滅するかわりに鉄筋と同様の剛性、強度を発現する筋材となることを利用して、耐震壁としての機能を保持しようとするものである。
【特許文献１】特開昭５３−４９８２４号公報
【発明の開示】
【発明が解決しようとする課題】
【０００４】
前記特開昭５３−４９８２４号公報に記載の発明は、打ち継ぎ部にエキスパンド体を配設しているが、耐震壁としての機能を保持し亀裂の発生を防止するためのものであり、隣接区画のコンクリート同士の噛み合いや床コンクリートにおけるせん断力の伝達については十分考慮されたものではない。
【０００５】
本発明は前記従来例の不都合を解消するものとして、床コンクリートの打ち継ぎ部における噛み合いを向上させるとともに、せん断力の伝達を良好にできる床コンクリート構造を提供することにある。
【課題を解決するための手段】
【０００６】
本発明は前記目的を達成するものとして、請求項１記載の発明は、メタルラスを蛇腹状に折り曲げて床コンクリートの打ち継ぎ部に配設したことを要旨とするものである。
【０００７】
請求項１記載の本発明によれば、折り曲げたメタルラスが打ち継ぎ部に配設されるから、隣接する区画のコンクリート同士の打ち継ぎ面が楔状となって噛み合いが向上する。また、打ち継ぎの接触面積も大きくなり、コンクリートのせん断力伝達が向上する。特に、メタルラスは蛇腹状に折り曲げたもので、平板状に形成した場合に比較して、メタルラスとコンクリートとの接触面積が大きくなり、両コンクリートのせん断方向の力の伝達が良好になる。
【０００８】
請求項２記載の発明は、前記メタルラスは、折り曲げ方向が縦方向のものと横方向のものとが所定間隔で横方向に交互に配置されることを要旨とするものである。
【０００９】
請求項２記載の本発明によれば、折り曲げ方向が異なるものが交互に配置されるから、噛み合いがさらに向上する。
【発明の効果】
【００１０】
以上述べたように本発明の床コンクリート構造は、打ち継ぎ部に配設するメタルラスを蛇腹状に折り曲げたから、床コンクリートの打ち継ぎ部における噛み合いを向上させるとともに、せん断力の伝達を良好にできるものである。
【発明を実施するための最良の形態】
【００１１】
以下、本発明の実施形態を詳細に説明する。図１は本発明の床コンクリート構造の実施形態を示す要部であるメタルラスの斜視図で、図中１は床コンクリートの打ち継ぎ部に配設するメタルラスを示す。
【００１２】
このメタルラス１は本発明ではその形態として蛇腹状に折り曲げ、縦方向に折り曲げたメタルラス１ａと横方向に折り曲げたメタルラス１ｂとを別体に形成し、これらメタルラス１ａ，１ｂを交互に横方向に連続させたもので、各メタルラス１ａ，１ｂはそれぞれ縦横に配置した鉄筋フレーム２に取り付けられる。
【００１３】
大きさとしては、図示の例では縦方向に折り曲げたメタルラス１ａは横幅６００ｍｍ、横方向に折り曲げたメタルラス１ｂは横幅９００ｍｍに形成した。
【００１４】
かかるメタルラス１ａ，１ｂを用いた床コンクリート３の打ち継ぎ方法を図２、図３について説明する。先行して打設するコンクリート４の打ち継ぎ部の位置に図１に示すメタルラス１を配設する。図中６は打設場所の底部に敷設する防湿フィルム、７はラス付きバースペーサー、８はコンクリート止め型枠、９は桟木、１０は番線結束を示す。
【００１５】
そして、図２に示すように防湿フィルム６、コンクリート止め型枠８、メタルラス１ａ，１ｂで囲まれた区画内にコンクリート４を打設し、この先行して打設したコンクリート４の硬化後、図３に示すようにコンクリート止め型枠８、メタルラス１ａ，１ｂに取り付けた鉄筋フレーム２を撤去して後行のコンクリート５を打設する。
【００１６】
この状態で、メタルラス１ａ，１ｂはコンクリート４とコンクリート５との打ち継ぎ部に埋設されることになるが、メタルラス１ａ，１ｂは蛇腹状に形成してあるから山部がそれぞれコンクリート４，５の方向に楔状に入り込み、コンクリート４，５がしっかりと噛み合う。
【００１７】
また、メタルラス１ａ，１ｂを平板状に形成した場合に比較して、メタルラス１ａ，１ｂとコンクリート４，５との接触面積が大きくなり、両コンクリート４，５のせん断方向の力の伝達が良好になる。これにより、曲げ荷重等を受ける場合に床に段差を生じるなどの事故を防ぐことが可能となる。
【００１８】
また、それぞれのメタルラス１ａ，１ｂの折り曲げ方向は縦横と交互に異なるものとしたから、異なる方向に作用する力に対処できる。これにより強度の増加した床コンクリートが得られる。
【図面の簡単な説明】
【００１９】
【図１】本発明の床コンクリート構造の実施形態を示す要部であるメタルラスの斜視図である。
【図２】本発明の床コンクリート構造の実施形態を先行するコンクリートを打設した状態の縦断側面図である。
【図３】本発明の床コンクリート構造の実施形態を縦断側面図である。
【符号の説明】
【００２０】
１，１ａ，１ｂ  メタルラス        ２  鉄筋フレーム
３  床コンクリート                ４，５  コンクリート
６  防湿フィルム                  ７  ラス付きバースペーサー
８  コンクリート止め型枠          ９  桟木
１０  番線結束
【図１】
2007107187.tif 000003
【図２】
2007107187.tif 000004
【図３】
2007107187.tif 000005
(57)【要約】【課題】  加熱板の厚みを薄くするとともに、均温性や昇降温度効率のよい熱媒体通流加熱板を提供すること。【解決手段】  肉厚内部に熱媒体通流路が形成され、通流する熱媒体の熱により処理物を熱処理する熱媒体通流加熱板において、前記加熱板１の肉厚内部に、縦横互いに連通交叉して断面円形状の密閉室１ａを形成し、その密閉室１ａに気液二相の熱媒体を封入するとともに、加熱板１を加熱する熱媒体を通流する熱媒体通流管管２を、密閉室１ａに沿い密閉室１ａ内を貫通して配置する。この配置により熱媒体通流管２と気液二相の熱媒体との接触面が増大し、均温性や昇降温度効率を高めることができる。【選択図】      図１
2007107734.tif 000002
【特許請求の範囲】
【請求項１】
肉厚内部に熱媒体通流路が形成され、通流する熱媒体の熱により処理物を熱処理する熱媒体通流加熱板において、前記加熱板の肉厚内部に気液二相の熱媒体を封入する密閉室を形成するとともに、前記密閉室内を貫通する熱媒体通流管を配置してなることを特徴とする熱媒体通流加熱板。  
【発明の詳細な説明】
【技術分野】
【０００１】
本発明は、肉厚内部に熱媒体を通流して加熱する熱媒体通流加熱板に関する。
【背景技術】
【０００２】
電気部品を樹脂モールドなどでケーシングする場合、ケーシング用加熱金型（加熱板）が多く使われている。この場合の加熱板は、図２に示すように加熱板１を加熱する熱媒体を通流する熱媒体通流路１ａと加熱板１の温度を平均化する気液二相の熱媒体を封入する密閉室１ｂが肉厚内部に形成されている。
【発明の開示】
【発明が解決しようとする課題】
【０００３】
このような従来の熱媒体通流加熱板は、熱媒体通流路１ａと密閉室１ｂがそれぞれ別に形成されているため熱媒体通流加熱板が厚くなり、加熱板が重く扱い難く、また、均温性や昇降温度効率が悪いといった問題があった。
【０００４】
本発明が解決しようとする課題は、熱媒体通流加熱板の厚みを薄くするとともに、均温性や昇降温度効率のよい熱媒体通流加熱板を提供し、斯かる問題を解消する点にある。
【課題を解決するための手段】
【０００５】
本発明は、肉厚内部に熱媒体通流路が形成され、通流する熱媒体の熱により処理物を熱処理する熱媒体通流加熱板において、前記加熱板の肉厚内部に気液二相の熱媒体を封入する密閉室を形成するとともに、前記密閉室内を貫通する熱媒体通流管を配置してなることを特徴とする。
【発明の効果】
【０００６】
本発明では、気液二相の熱媒体を封入する密閉室を貫通する熱媒体通流管を設けているので、熱媒体通流加熱板の厚みや幅を小さくすることができるとともに、熱媒体通流管と気液二相の熱媒体との接触面が増大し、均温性や昇降温度効率のよい熱媒体通流加熱板を得ることができる。
【発明を実施するための最良の形態】
【０００７】
加熱板の厚みを薄くするとともに、均温性や昇降温度効率のよい熱媒体通流加熱板を提供する目的を、加熱板の肉厚内部に気液二相の熱媒体を封入した密閉室を形成し、この密閉室内を貫通する加熱板を加熱する熱媒体を通流する管を設けることにより実現した。
【実施例１】
【０００８】
図１は、本発明の実施例に係る熱媒体通流加熱板の断面図（ａ）と内部構造を拡大して示す部分断面斜視図（ｂ）である。  図１（ｂ）に示すように加熱板１の肉厚内部一面に図示しない気液二相の熱媒体を封入する断面円形状の密閉室１ａが、縦横互いに連通交叉してドリルなどで形成され、熱媒体を通流する熱媒体通流管２が、たとえば縦方向に伸びる密閉室１ａ内を貫通するように配置されている。密閉室１ａの加熱板１の端部は気液二相の熱媒体を注入後封着されるが、熱媒体通流管２は外部へ導出されている。
【０００９】
このように構成した加熱板１は、加熱するとき管２内に所定の温度に加熱した熱媒体を通流すると、管２に接触する気液二相の熱媒体が加熱板１の全面にまたがって潜熱移動し加熱板１の全面を均一に加熱する。この場合、気液二相の熱媒体と熱媒体を通流する熱媒体通流管２との接触面が大きく、均温性や昇降温度効率のよい熱媒体通流加熱板となる。
【図面の簡単な説明】
【００１０】
【図１】本発明の実施例に係る熱媒体通流加熱板の断面図（ａ）と内部構造を拡大して示す部分断面斜視図（ｂ）である。
【図２】従来の熱媒体通流加熱板の断面図である。
【符号の説明】
【００１１】
１    熱媒体通流加熱板
１ａ  気液二相の熱媒体を封入する密閉室
２    熱媒体通流管
【図１】
2007107734.tif 000003
【図２】
2007107734.tif 000004
(57)【要約】【課題】配管は、単純なパイプという概念であった。しかし前後の機器が機能向上するにつけ  配管部は、変化がない状態である。【解決の手段】配管内面に突起を設け  必要とする仕様にあった突起パターンとすることで  配管が単純な移動の部品から機能を持った機器として使用できるようになった。【選択図】    図２
2007107707.tif 000002
【特許請求の範囲】
【請求項１】
（１）配管・排気管等内面壁４に円形・山形などの突起物３を成形して液体・気体・ガス体等の流体物２をスパイラル流５など良好な流れ及び機能に変換する配管・排気管等。
【発明の詳細な説明】
【技術分野】
【０００１】液体・気体・ガス体など流体物２を移動させる配管に対して  単純な流体物の移動でなく  いかに速やかに・いかに物理的状態を維持し・整流して移動させるかを追求した技術。
【背景技術】
【０００２】従来の流体物２の移動には、単純なパイプ１に流体物を詰め込んで押し流す方法であった。
しかし  流体物移動目的が複雑になった現状では、入り側より排出側まで状態を維持して移動させるには、形状が単純すぎて断面積・肉厚・移送圧力要素に限られ  新たな技術を必要とする状況になっている。
【発明の開示】
【発明が解決しようとする課題】
【０００３】現在に求められていると思われる要素例の一部として
１  大量の流体をいかに速く移動させるか。
２  温度や品質をいかに維持するか。
３  前後における処理機器能力の機能バランスを求める。
４  いかに省スペースとするか
などが考えられる。
たとえば  豪雨による多量の降雨を速やかに除去するには、大きな容積の貯水池を設ける他に流速をアップして速やかに海へ流し込む必要があります。
身近の例では、風呂場の排水口をいかに速やかに排水するか。
また  ボイラー・内燃機関６の排出ガスをリサイクルするためいかに温度を降下させないでリサイクル機器７へ移動させるか。
これらの目的を  単純に断面積・曲げ加工の曲率等だけで設計されていたものを  ここでは、新たな機能を設けてその仕様を満足させようとしている。
【課題を解決するための手段】
【０００４】従来は、配管１の内面をいかに滑らかにするか。あるいは、配管１の内面にメッキ処理をして耐熱性を改善するか等の方法が存在していた。
本件では、これと異なる解決方法として  配管の内面壁４に突起３を設けることで新たな要求仕様を解決計っている。
この突起形状は、目的にあわせて各種パターンを構成することも出来るので  多様な要求仕様に対処可能である。
例えば  配管内面壁４に円形の突起３を成形し  そのパターンを流体物２がスパイラル流５となるように構成することで  スパイラル流５の流速がアップし  配管側で圧力が低下して  前工程との圧力差を大きくすることが出来る。
加えて残留流体（例えば残留空気）がスパイラル流の中心より排出可能になり  流体の流れ（例えば水）が抵抗減少により  速やかに排出出来ることとなる。
他に  流体物２の流れは、円形突起３の山部に接触するが  円形突起３の谷部には、残留流体６が存在することで  メインとなる流体物２が配管壁４と直接的接触が少ない状態で流れること出来る。
すなわち  残留流体６が断熱の役割を果たしてくれる。
その結果  放熱面積が小さくなり断熱効果が得られる。
このように  求められる仕様に対して  いろいろなパターン構成で簡単に対応できる。
【発明の効果】
【０００５】このような配管を求められる用途は、具体的にいくらでも存在する。
例えば  ボイラー・自動車のエンジン７における排気ガスは、そのガス流をスパイラル流５とすることで圧力差が発生し  燃焼室のガス抜けが改善される。また  排気ガスのリサイクル機器・排気ガス触媒８まで温度の低下を防止するために  円形突起３の谷部残留流体６が断熱層の機能として働いてくれる。
また  配管全体に突起物３を設けなくても口金部に突起物３を設けることで流体物全体の流れを変えることも可能である。
浴室の排水口は、スパイラル流５として流速がアップし  スパイラル流中心に空気抜きが出来て  排水性が向上できる。
ノズル口についてもスパイラル流形式とすることでより遠くまで放出することが出来る。
これらの例を見るがごとく  この形状は、流体物を押し流す内容から流体物を整流したり機能を加えるなど新たなコントロールを加えられる方法である。
【発明を実施するための最良の形態】
【０００６】配管は、機器と機器を接続する大事な機能でありながら  認識について不足していたのが現状である。
各機器の発達は、それぞれ顕著な発展を示しながら  機器間の接続部分は、昔ながらの手法である。
そして  この部分に関するトラブルもよく聞くところである。
例えば原子力の配管部における故障・ロケットの燃料配管の故障・家庭における漏水など。
配管は、身近なところによりよい方法が必要とされている。
【図面の簡単な説明】
【０００７】
【図１】一般的な流体の流れ
【図２】突起を設けた配管
【図３】スパイラル流を利用する形状
【図４】断熱層を利用する形状
【図５】配管の概念
【符号の説明】
【０００８】１  配管（パイプ）
２  流体物
３  突起物
４  内面壁
５  スパイラル流
６  残留流体
７  ボイラー・内燃機関など
８  リサイクル機器・触媒など
【図１】
2007107707.tif 000003
【図２】
2007107707.tif 000004
【図３】
2007107707.tif 000005
【図４】
2007107707.tif 000006
【図５】
2007107707.tif 000007
(57)【要約】【課題】、自動車、住宅、金庫等に用いる鍵、またはその他鍵として機能するものなどは、愛用する自動車や住宅等の鍵にふさわしく、持ち主が満足して、デザイン性を主張できるような鍵の形状、意匠、材質を兼ね備えることができなかった。【解決手段】鍵の差し込み部分やその他の部分に貴金属や宝石を設けたり、貴金属や宝石自体で鍵自身を作成する。【選択図】図１
2007315154.tif 000002
【特許請求の範囲】
【請求項１】
鍵の差し込み部分やその他の部分に貴金属や宝石等を設けたことを特徴とする鍵。
【請求項２】
通常真鍮等で作られる鍵の差し込み部分やその他の部分を貴金属や宝石自体で作られたことを特徴とする鍵。
【発明の詳細な説明】
【技術分野】
【０００１】  この発明は、自動車、住宅、金庫等に用いる鍵、またはその他鍵として機能するものや、アクセサリ用の鍵もしくは鍵に類似した形のものも含むあらゆる鍵の形状及び意匠、材質に関する。
【背景技術】
【０００２】  従来の鍵は機能と耐久性のみを考慮したものであり、図２に示すように、真鍮等でできた錠前に差し込む部分と鍵を回転させたりして鍵を掛けるために指でつかむプラスチック等でできた部分とでできているのみである。
【発明の開示】
【発明が解決しようとする課題】
【０００３】  しかしながら、以上の技術によれば、従来の鍵は、愛用する自動車や住宅等の鍵にふさわしく、持ち主が満足して、デザイン性を主張できるような鍵の形状、意匠、材質を兼ね備えることができなかった。
そこで、この発明は、愛用品にふさわしく、持ち主が満足して、デザイン性を主張できるような鍵を提供することを課題とする。
【課題を解決するための手段】
【０００４】  以上の課題を解決するために、第一発明は、鍵の差し込み部分やその他の部分に貴金属や宝石等を設けたことを特徴とする鍵である。
また、第二発明は、通常真鍮で作られる鍵の差し込み部分やその他の部分を貴金属や宝石自体で作られたことを特徴とする鍵である。
【発明の効果】
【０００５】  第一発明、または第二発明によれば、鍵の差し込み部分やその他の部分に貴金属や宝石を設けたり、貴金属や宝石自体で鍵自身を作成したので、愛用品にふさわしく、持ち主が満足して、デザイン性を主張できるようになる。
【発明を実施するための最良の形態】
【０００６】  この発明の一実施形態を、図１に示す。
図１のジュエリーキーの差し込み部分１は１８金製であり、取っ手部分２の枠３も１８金製であり、取っ手本体４はブルートパーズ製である。また、取っ手部分２の枠３の４ヶ所に装飾用のダイヤモンドが取り付けられている。このジュエリーキーは鍵の機能を損なわないような強度や堅さを保つために、材質として１８金及びブルートパーズを選定し、かつ、形状についても図１のような形状とした。【０００７】「実施形態の効果」
この実施形態によれば、差し込み部分１及び枠３の材質を１８金にし、取っ手部分２の材質をブルートパーズにすることで、装飾性や機能性、強度を同時に得られることができた。ジュエリーキーの材質を１８金とブルートパーズとダイヤモンドにすることにより、鍵は単なる機能のみを果たすものではなく、宝飾品としての付加価値の付いた趣向品となる。【０００８】「他の実施形態」
図１の実施形態では、材質は１８金とブルートパーズとダイヤモンドで、形状は図１のような形状であったが、他の実施形態では、他の貴金属や宝石等を材質とし、形状も鍵としての機能を損なわない範囲で様々な形状のものでも良い。
【図面の簡単な説明】
【０００９】
【図１】この発明の一実施形態を示す図である。
【図２】従来技術を示す図である。
【符号の説明】
【００１０】      １  差し込み部分            ２  取っ手部分
３  枠                      ４  取っ手本体
【図１】
2007315154.tif 000003
【図２】
2007315154.tif 000004
(57)【要約】【課題】トイレ使用後はトイレ内に臭いが残り次に使用する人に気を使わなくはならなっかた。【解決手段】便器内の霧により臭いを包み込み水に流すことにより用便後の臭いを気にしなくても良くなる。【選択図】図１
2007315155.tif 000002
【特許請求の範囲】
【請求項１】
便器内で霧を発生させることを特徴とする無臭化装置
【発明の詳細な説明】
【技術分野】
【０００１】  この発明は、用便中の便器内の臭いが外部に漏れないよう便器内で霧を発生させることを特徴としたものである。
【背景技術】
【０００２】  従来はトイレ室内の臭いを外部に排出していました。
【発明の開示】
【発明が解決しようとする課題】
【０００３】しかしながら、従来のトイレは室内に臭いが漏れているため他人の残した臭いや自分の排便の臭いに不快を感じ、又臭いを換気すると室外への迷惑となることがあります。
【課題を解決するための手段】
【０００４】  以上の課題を解決するために、便器内の臭い成分と霧状の水が自然に混じり合う事により。
【発明の効果】
【０００５】  便器内の臭いが水の中に自然落下する事で、そのまま水に流しトイレ内に臭いを拡散することを無くすことが出来る装置である。
【発明を実施するための最良の形態】
【０００６】  この発明の一実施形態を、図１に示す。
用便中は便器後ろ側に取り付けたノズルより霧を便器内部に充満させ、臭いの拡散を防ぐようにする。【０００７】「実施形態の効果」
この実施形態によれば、用便終了後立ち上がっても霧と臭い成分が混じり合って便器内の水に落下するためそのまま便器内の水を流すことにより臭いの拡散を防ぐ事が出来る。
【図面の簡単な説明】
【０００８】
【図１】この発明の一実施形態を示す斜視図である。
【図２】従来技術を示す斜視図である。
【符号の説明】
【０００９】１  便座    ２  霧を発生    ３  霧発生装置    ４  臭いが拡散
【図１】
2007315155.tif 000003
【図２】
2007315155.tif 000004
(57)【要約】      （修正有）【課題】パソコンと金庫をＵＳＢコード等で接続、連動させることにより、経理的な素養のない人でも、現金取引仕訳を入出金と同時に自動的に行い、現金管理が出来るパソコン制御金庫と収納デスク及びそのシステムを提供する。【解決手段】パソコン１と金庫３をＵＳＢケーブル等で接続し、金銭収納ケースの開閉をパソコンによって制御する。入出金のたびにパソコンのキー操作を行わせ、入出金の経理的な仕訳作業を自動的に行ない、決算のための基礎データを記録蓄積すると共に、現金取引をこのシステムでもれなく把握する。また、パソコン制御金庫と収納デスク総体では簡単な移動を困難とさせ盗難防止対策とする。【選択図】図１
2007315160.tif 000002
【特許請求の範囲】
【請求項１】
パソコンと金庫をＵＳＢケーブル等で接続、連動させることにより、金銭収納ケースの開閉をパソコンのキー操作により制御し、経理的な知識がなくても、現金の入出金と同時にその現金取引仕訳を自動的に行い現金管理ができるようにした金庫を収納一体化したパソコン制御金庫収納デスク及びそのシステム。
【発明の詳細な説明】
【発明の詳細な説明】
【産業上の利用分野】
【０００１】この発明は、専門の経理担当者を置けないような零細な個人商店や法人において、金庫からの金銭の出し入れの際、その時点で自動的に経理的な取引仕訳を完了させ、税金の申告への移行が正確にできる基礎データを記録し、また、大切な現金管理をもしっかりしたものにする為のものである。
【背景技術】
【０００２】従来の金庫は単なる金銭の保管機能しかなく、零細な個人商店や法人が所有しているものの多くは、手提げ金庫程度で簡単に移動できるものであるから盗難にも無防備であり、金銭管理もずさんになりがちであった。
【発明が解決しようとする課題】
【０００３】単なる金銭の保管機能しかない金庫では、金銭の出し入れが記録されないためメモをこまめに取っておかないと、何の入出金なのか分からなくなってしまう。また、簡単に金庫が開閉できるから仮払い行為も気軽になされ、現金管理がずさんになりがちである。その形態も手提げ金庫など軽量で移動が簡単であるため、盗難にも無防備である。本発明は、それらの問題を解決するためのものである。
【問題を解決するための手段】
【０００４】パソコンと金庫を電気的に連動させ、金庫の開閉をパソコンのキー操作で制御し、一定の経理処理に沿ったパソコン操作をしなければ金庫が開閉しないようにする。そのパソコン操作は経理的な素養のない仕訳が理解できない人でも入力できるようにソフトを組み、また、そのようなパソコンと金庫をデスクに組み込み一体化することで、簡単に移動できなくし盗難対策にも備える。
【発明を実施するための最良の形態】
【０００５】パソコンと金庫をＵＳＢケーブル等で接続、金庫はパソコンの外部機器で、金銭収納ケースはパソコンのキー操作で開閉する。そのようなパソコンと金庫をデスクの一部に組込み一体化させる。
【発明の効果】
【０００６】専門の経理担当者を置く余裕の無い個人商店や零細法人では、現金出納帳を記帳することもままならない。帳簿付けは面倒な作業であり、事実上税理士に任せきりになり、日常の現金管理もずさんになりがちである。しかし当該考案のパソコン制御金庫は、金庫の開閉がパソコンによって制御されているため、入出金のたびパソコンによる一定のキー操作が必要になる。そのキー操作は、借方・貸方などの経理的な知識がなくても入力できるようなパソコンソフトで動き、入出金の経理的な仕訳作業を自動的に行ない、決算のための基礎データを記録蓄積し、現金取引はこのシステムでもれなく把握できるようにする。また、パソコンと金庫とデスクの一体化は総体でそれなりの重量をもち、簡単には移動できず盗難対策にもなる。
【図面の簡単な説明】
【図１】本発明の斜視図である。
【符号の説明】
１．パソコン          ２．デスク          ３．金庫
【図１】
2007315160.tif 000003
(57)【要約】      （修正有）【課題】外出した時等でも、鍵の開閉の情報を知ることができるように、その鍵の開閉の情報を、自分の指定した連絡先に送信する事が出来る鍵を提供する。【解決手段】鍵１の内部にセンサー２と発信機３を取り付けることにより、鍵１の開閉をセンサー２が感知し、発信機３から、鍵１の開閉の情報が、携帯電話４などの、自分もしくは自分の指定した連絡先に送信される。【選択図】図１
2007315156.tif 000002
【特許請求の範囲】
【請求項１】
鍵の開閉の情報が、自分の指定した連絡先に、送信される鍵
【発明の詳細な説明】
【技術分野】
【０００１】この発明は、鍵の内部にセンサーと発信機を取り付け、鍵の開閉の情報が、自分の指定した連絡先に送信される鍵、に関するものである。
【背景技術】
【０００２】従来、外出した時など、鍵の開閉の情報は知ることができなかった。
【発明の開示】
【発明が解決しようとする課題】
【０００３】今までの鍵は開けられないようにと作られていた。
しかし鍵は結局開けられてしまい、空き巣や事件などが起きていたが、今回の鍵は開けられてしまった時に、その情報が自分、もしくは自分の指定した連絡先にその情報が送信されるというものである。
【課題を解決するための手段】
【０００４】鍵に、センサーと発信機を取り付ける。センサーが鍵の開閉を感知し発信機に情報が流れ、その情報を受けた発信機から、自分もしくは自分の指定した連絡先に、鍵の開閉の情報が送信される。
【発明の効果】
【０００５】鍵の開閉の情報が、自分もしくは自分の指定した連絡先に送信される事により外出した時や、自宅に他人が鍵を開け侵入してきた時などにその情報が分かる事が出来るので、事件などを減らす目的である。
【発明を実施するための最良の形態】
【０００６】以下本発明の実施例について説明する
１、鍵の内部、奥側にセンサーと連結した発信機を取り付ける。
２、鍵の開閉を行う。
３、センサーがそれを感知し発信機に情報が流れる。
４、情報を受けた発信機から自分の指定した連絡先に、その情報が送信される。
【図面の簡単な説明】
【０００７】
【図１】本発明の断面図である
【符号の説明】
【０００８】  １、鍵
２、センサー
３、発信機
４、自分の携帯電話
【図１】
2007315156.tif 000003
(57)【要約】【課題】      積雪寒冷地において屋根の雪下ろし作業をするにあたり、作業者が屋根上から落下する事故を未然に防止する。【解決手段】  作業者Ａは屋根上に昇った後、  作業者Ａ自身の体にロープＧを巻き緊結し、屋根上に積もった雪Ｄに落下防止用ロープ支持体Ｂを押し込み周囲の雪を踏み固める。ロープＧを落下防止用ロープ支持体Ｂに緊結した後、建物端部にロープＨが緊結されたカギ型フックＣを掛止しロープＨを緊張した後に雪下ろし作業を開始する。作業者Ａが誤って屋根上から転落してもロープＧ、落下防止用ロープ支持体Ｂ、ロープＨ、カギ型フックＣが建物に作業者の体重を支持させることが可能となり、転落事故を未然に防止する。【選択図】    図１
2007315122.tif 000002
【特許請求の範囲】
【請求項１】
複数の細長い平板状の板を長手方向で放射状に結合させ、前記板の下端部には上方向に開放するクサビ状のハネを施し、前記板の上端部の中央部結合部分にロープを貫通させる為の丸環を設け、前記複数の板には貫通孔及び突起を形成して、前記丸環にアンカー付ロープを通して使用する作業を行う落下防止用ロープ支持体。
【発明の詳細な説明】
【技術分野】
【０００１】
本発明は、落下防止用ロープ支持体に関する。
【背景技術】
【０００２】
積雪寒冷地において、屋根に降り積もった雪の重量による家屋の倒壊、ならびに雪氷の落下による人的並びに物的被害を未然に防止する目的で、従来より作業者が屋根に昇り降り積もった雪をスコップなどの除雪用具を用いて雪下ろしの作業が行われている。しかし高所での作業は常に転落の危険が伴い、毎年多くの人命が転落事故により失われている。かかる事態は作業者が命綱を有効に使用していれば未然に防止することが可能であった。
【特許文献１】特開昭６１−１９３６７６
【特許文献２】実開昭６１−１２７２２３
【特許文献３】登録実用  ３１１３５８２
【特許文献４】特開  ２０００−１７６０３
【発明の開示】
【発明が解決しようとする課題】
【０００３】
従来の技術では、雪袋に雪を詰める作業が余計にかかり、雪袋が下ろした雪で埋まり掘り出す手間がかかっていた。
【０００４】
軒先の雪のみを下ろしたのでは、かえって危険であり積雪寒冷地では装置そのものが凍結し効果を発揮するには課題が残されていた。また軒下での作業には、危険が伴っていた。
【０００５】
一連の動作で落下させ得る雪の量に対し労力が多大にかかっていた。
【０００６】
雪を下ろす屋根の軒下にタンクを設置すると、下ろした雪でタンクが埋まり掘り出す手間が余計にかかり、タンク付近に雪を落とさないように作業すると屋根に降り積もった全量を下ろすには困難が伴っていた。
【０００７】
本発明は、このような背景技術に残されていた課題を解決しようとするものであり、簡易なる転落防止装置を提供し雪下ろし作業を安全・安心かつ効率よく作業することの出来る環境を整え、雪下ろし作業時における作業者の転落防止装置を得るためのものである。
【課題を解決するための手段】
【０００８】
本発明は上記の課題を解決するためのものであり、作業者Ａは雪Ｄが降り積もった屋根に上がり、落下防止用ロープ支持体Ｂを雪Ｄに押し込み作業者Ａの体にロープＧを緊結し、その他端を丸環Ｅに緊結する。その後慎重に足元を確認しつつ屋根の端部に進み雪庇の状況を確認した後、カギ型フックＣを掛止する個所の雪Ｄを除去し支持可能なる屋根端部を確認し、落下防止用ロープ支持体Ｂに緊結したロープＨの先端に緊結した、カギ型フックＣを屋根端部に掛止させカギ型フックＣが自重により屋根端部から離脱しないようアンカー付ロープＨをゆるみなく緊張させる。この手段により作業者Ａが誤って滑落、転落したとしてもロープＧ、落下防止用ロープ支持体Ｂ、アンカー付ロープＨ、カギ型フックＣを通じ屋根端部に掛止している事により作業者Ａの体重を支持し人身事故を未然に防止することが可能となる。
【発明の効果】
【０００９】
本発明の装置は、積雪寒冷地で雪下ろしの必要のある地域において、雪下ろし作業時に例年多発する屋根からの転落事故を未然に防止する効果がある。
【発明を実施するための最良の形態】
【００１０】
本発明を実施するための最良の形態を図面を参照して説明する。
図１はカギ型フックＣを建物の屋根端部に掛止し、屋根上に降り積もった雪Ｄに落下防止用ロープ支持体Ｂを押し込み、作業者Ａの体に巻きつけたロープＧ，カギ型フックＣに緊結されたアンカー付ロープＨをそれぞれ緊結し、雪下ろしの作業を行っている形態である。
この装置により作業者Ａが屋根上から誤って滑落・転落したとしてもカギ型フックＣが建物端部に掛止されており作業者Ａの体重を支えることが可能となり、滑落・転落による人身事故を未然に防止する事が可能となる。
【００１１】
図２は落下防止用ロープ支持体Ｂの斜視図である。作業者Ａは屋根上に降り積もった雪Ｄに落下防止用ロープ支持体Ｂを押し込み周囲の雪を足で踏み固める。落下防止用ロープ支持体Ｂの下端に設けたハネＦは上方向に開放された形状であるため引き抜き力に抵抗する。また落下防止用ロープ支持体Ｂの上部に設けた丸環ＥにロープＧ及びＨを緊結する。落下防止用ロープ支持体Ｂに設けた貫通孔Ｉ及び突起Ｊも引き抜き力に抵抗する。
【実施例】
【００１２】
前記は、一実施例を示したものであり、本発明は積雪地域における仮設の標識、案内看板のアンカー、動物の放し飼い用アンカー、ゴミ集積所のネット止アンカー、仮設テントなどの仮設物のアンカーなど用途と可能性は多方面に展開されるものである。
【００１３】
図面では落下防止用板Ｂの枚数は３として表示してあるが、枚数は３にこだわらず複数枚としてもよい。
【図面の簡単な説明】
【００１４】
【図１】本発明の一実施例を示す斜視図である。
【図２】落下防止用ロープ支持体Ｂの斜視図である。
【図３】落下防止用ロープ支持体ＢのＡ−Ａ断面図である。
【図４】落下防止用ロープ支持体Ｂの平面図である。
【符号の説明】
【００１５】
Ａ  作業者
Ｂ  落下防止用ロープ支持体
Ｃ  カギ型フック
Ｄ  降り積もった雪
Ｅ  落下防止用ロープ支持体Ｂの丸環
Ｆ  ハネ
Ｇ  ロープ
Ｈ  アンカー付ロープ
Ｉ  カギ型フックＣの丸環
Ｊ  貫通孔
Ｋ  突起
【図１】
2007315122.tif 000003
【図２】
2007315122.tif 000004
【図３】
2007315122.tif 000005
【図４】
2007315122.tif 000006
(57)【要約】【課題】本発明は、特定の運動選手を対象とした減圧訓練施設ではなく、一般ユーザーが自宅にいながら日常的に低圧室を使用できるよう低圧室付住宅を実現することが課題である。【解決手段】本発明は、建物の一部に低圧室を設ける戸建て住宅又は集合住宅、或いは、建物を構成する主要構造部材で低圧に耐え得る筐体をつくり、前記筐体で低圧室となす住宅・低圧室一体型の戸建て住宅又は集合住宅であることを特徴とする。【選択図】図１
2007315162.tif 000002
【特許請求の範囲】
【請求項１】
建物の一部に低圧室を設けることを特徴とする戸建て住宅又は集合住宅。
【請求項２】
建物を構成する主要構造部材で低圧に耐え得る筐体をつくり、前記筐体で低圧室となすことを特徴とする住宅・低圧室一体型の戸建て住宅又は集合住宅。
【発明の詳細な説明】
【技術分野】
【０００１】近年、健康に対する意識が高まってきている。高地の気圧環境を平地で実現するための低圧室にも高い関心が集まっている。本発明は、その低圧室に関するものである。
【背景技術】
【０００２】
【特許文献１】  特公平２−４２９９２号公報
【特許文献２】  特開平８−１１２３７３号公報
【特許文献３】  特開平１１−３３６３７３号公報
【特許文献４】  特許２９１９１１１号公報
【特許文献５】  特開２０００−５４６６６号公報
【非特許文献１】  実開平２−１１８５７１号公報
【発明の開示】
【発明が解決しようとする課題】
【０００３】本発明は、特定の運動選手を対象とした減圧訓練施設ではなく、一般ユーザーが自宅にいながら日常的に低圧室を使用できるようにした低圧室付住宅に関するものである。
【課題を解決するための手段】
【０００４】本発明は、請求項１の発明においては、建物の一部に低圧室を設ける戸建て住宅又は集合住宅であることを特徴とする。【０００５】請求項２の発明においては、建物を構成する主要構造部材で低圧に耐え得る筐体をつくり、前記筐体で低圧室となす住宅・低圧室一体型の戸建て住宅又は集合住宅であることを特徴とする。
【発明の効果】
【０００６】本発明により、住宅の一部に低圧室が付帯しているため、特定の運動選手のみならず一般ユーザーも日常生活の一部として低圧室を使用できるようになった。
【発明を実施するための最良の形態】
【０００７】発明を実施するための最良の形態について説明する。図１に本発明を適用した低圧室付戸建て住宅の実施例を示す。
【実施例】
【０００８】本発明の低圧室付住宅の実施例では、住宅（１）の一角に低圧室設置スペース（３）を設け、該低圧室設置スペース（３）に予め低圧室（１３）を設置して住宅に供する建物を完成させた。
【産業上の利用可能性】
【０００９】産業上の利用可能性としては、戸建て住宅或いは集合住宅の何れを問わず、住宅に供する建物に低圧室が設置してあるため住宅の外部に低圧室を設置する必要がなく、日常生活の一部として気軽に低圧室を利用することができる。
【図面の簡単な説明】
【００１０】
【図１】は本発明を適用した低圧室付住宅の平面図である。
【符号の説明】
【００１１】１  住宅
２  和室
３  低圧室設置スペース
４  トイレ
５  洗面所
６  脱衣室
７  浴室
８  リビングダイニングキッチン
９  玄関・廊下
１０  和室
１１  和室
１２  和室
【図１】
2007315162.tif 000003
(57)【要約】      （修正有）【課題】鋼管・ポールの打設能力を向上させた、エアー駆動式打撃ハンマーを提供する。【解決手段】エアー駆動式打撃ハンマー機の、圧縮エアーを空圧シリンダー４へ送給し、鋼管・ポールの頭に打撃を与え、地盤へ打ち込む鉄魂錘１５に関し、上下運動の操作を行う操作盤２４において、シリンダーへのエアー供給方向の切り替えを自動化するとともに、エアー補助タンク装置を利用して倍のエアー量をシリンダー４内に送給することを可能とし、高速化、打撃力の増幅を図った。【選択図】図１
2007315164.tif 000002
【特許請求の範囲】
【請求項１】
圧縮エァーを外板内の空圧シリンダーへ供給し、ピストンの上下運動により鉄魂錘を引き上げ後、下降させ鋼管・ポール打設の頭に打撃を与え地盤へ打ち込むエアー駆動式打撃ハンマー機において、下降状態でエアーを同時解放することにより、倍量のエアーをシリンダー内に送給することが出来る補助タンクを装備することにより、流量を増幅させ鋼管・ポール打設の頭に重打撃を与えるようにしたエアー駆動式打撃ハンマー機。
【請求項２】
操作盤内に降下高さ切替えスイッチの装置による降下位置決めスイッチの高さにセットし、鉄魂錘が降下位置決めスイッチに接触するとエアー送給・排気管のエアー送給が停止し、補助タンクより上下作動エアー送給・にエアーが入りピストンを下降作動する。鉄魂錘上昇エアースイッチに接触すると下降が停止し、エアー送給・排気管にエアーが送給されてピストンが上下運動を繰り返すことにより自動化したエアー駆動式打撃ハンマー機。
【請求項３】
エアー取入口で圧縮エアーを流入し、本体作動用エアー流入バルブで開閉状態にし下降切替えスイッチ、コントロール操作用エアーホース、降下高さ切替えスイッチ、空打ち防止エアースイッチの圧縮エアーの流入を制御する操作盤を装置したエアー駆動式打撃ハンマー機。
【発明の詳細な説明】
【技術分野】
【０００１】  本発明は、圧縮エアーを外板内の空圧シリンダーへ供給し、ピストンの上下運動により鉄魂錘を引き上げ後、下降させ鋼管・ポール打設頭に打撃を与え地盤へ打ち込む。
【背景技術】
【０００２】  従来、圧縮エアーを筒に送給し、振動板の上下運動と自重により鋼管・ポール打設の頭に打撃振動を与え打ち込む。打撃振動加重が少ないために、地中の小さな障害物に対応が出来なかった。
【発明の開示】
【発明が解決しようとする課題】
【０００３】  従来機械本体の打撃振動加重が小さいために鋼管・ポール打設の頭に力を与えられないので、地中の小さな障害物にも対応が不十分であった。
【課題を解決するための手段】
【０００４】  操作盤の２７、２８、２９の設定による１０、１１、１２の高さにセットすると、鉄魂錘が１０、１１、１２のスイッチに接触すると７、８のエアー送給が停止し、１、２にエアーが送給されピストンを下降する。１３に接触すると下降が停止し、７、８よりエアーが送給されてピストンが上昇、下降を繰り返すことにより自動的に作動が可能である。さらに、操作盤の２７、２８、２９の入りの場合に１４に接触し、入りになった場合にピストンの上昇、下降作動を停止状態にする。また、空圧シリンダーへ補助タンクの同時エアー供給利用で、シリンダーへの供給量増加で重打撃が可能となる。
【発明の効果】
【０００５】  以上説明したように、本発明を活用することで、自動化、高速化及び打撃力の増幅が図れるとして有用である。
【発明を実施するための最良の形態】
【０００６】  以下、本発明の実施の形態について説明する。
（イ）．下降状態でエアーを同時に解放することにより、倍量のエアーをシリンダー内に送給することができる補助タンクを装備することにより、倍力の性能を得る。
（ロ）．下降位置決めエアースイッチ、下降高さ切替えスイッチを装備することにより打ち込みの高さを設定することを得る。
（ハ）．空打ち防止エアースイッチを装備することにより、圧縮エアーの流れを制御することを得る。
（ニ）．防震ゴム板（生ゴム）の装備で、金属の衝撃を軽減し、本体の部品の疲労を軽減することを得る。
【実施例】
【０００７】  以下、添付図面の図１に従って一実施例である。本体を吊り上げ鋼管・ポールを設定した後、操作盤内の下降高さ切替えスイッチを設定することによりエアーコンプレッサーを始動させると、エアー取入口より供給させ本体作動用エアー流入バルブを開くとエアー駆動式打撃ハンマー機が作動を始める。
【図面の簡単な説明】
【０００８】
【図１】鉄魂錘が下降した状態の断面図
【図２】鉄魂錘が上昇した状態の断面図
【図３】従来の図（杭打機）
【符号の説明】
【０００９】  １  補助タンクより上下作動エアー送給・排気管
２  補助タンクより上下作動エアー送給・排気管
４  空圧シリンダー
５  補助タンク
６  ピストン
７  エアー送給・排気管
８  エアー送給・排気管
１０  下降位置決めエアースイッチ
１１  下降位置決めエアースイッチ
１２  下降位置決めエアースイッチ
１３  鉄魂錘上昇エアースイッチ
１４  空打ち防止エアースイッチ
１５  鉄魂錘
１７  防震ゴム板
１９  防震ゴム板
２４  操作盤
２５  本体作動用エアー流入バルブ
２６  エアー取入口
２７  下降高さ切替えスイッチ
２８  下降高さ切替えスイッチ
２９  下降高さ切替えスイッチ
【図１】
2007315164.tif 000003
【図２】
2007315164.tif 000004
【図３】
2007315164.tif 000005